(57)【要約】【課題】本発明は、他の平型ケーブルに重ねられた部分の複数の電線の配列が乱されることがなくなることで変形するのを防止できるとともに、、これらが重ねられた際に安定した状態を維持することができる平型ケーブル、及び、ワイヤハーネスを提供することを目的とする。【解決手段】平型ケーブル１、１´は、芯線２１と該芯線２１を覆う被覆部２２とを備え、互いに平行となるように一方向に沿って並べられた複数の電線２Ａ、２Ｂ、２Ｃ、２Ｄと、前記複数の電線２Ａ、２Ｂ、２Ｃ、２Ｄの外周を一括りに覆う保護被覆部３と、を備え、少なくとも一部が他の平型ケーブルの前記一方向と前記電線の長手方向との双方向に対して直交する方向に重ねられる。前記保護被覆部３のうち前記他の平型ケーブルと重ねられる部分に、表面が平坦に形成された重なり部３１が設けられている。【選択図】図３
2012198996.tif 000002
【特許請求の範囲】
【請求項１】
芯線と該芯線を覆う被覆部とを備え、互いに平行となるように一方向に沿って並べられた複数の電線と、
前記複数の電線の外周を一括りに覆う保護被覆部と、を備え、少なくとも一部が他の平型ケーブルの前記一方向と前記電線の長手方向との双方向に対して直交する方向に重ねられる平型ケーブルにおいて、
前記保護被覆部のうち前記他の平型ケーブルと重ねられる部分に、表面が平坦に形成された重なり部が設けられていることを特徴とする平型ケーブル。
【請求項２】
前記重なり部の表面から凹に形成され、前記電線の長手方向に沿って伸びたノッチが設けられていることを特徴とする請求項１に記載の平型ケーブル。
【請求項３】
前記保護被覆部は、第１保護部と、前記第１保護部の内側に充填される第２保護部と、を備えた２重構造に構成されており、
前記第２保護部は前記第１保護部よりも硬度が低いことを特徴とする請求項１または請求項２に記載の平型ケーブル。
【請求項４】
請求項１乃至請求項３のうちいずれか一項に記載された平型ケーブルと、
前記平型ケーブルの端部に取り付けられるコネクタと、を備えたことを特徴とするワイヤハーネス。
【発明の詳細な説明】
【技術分野】
【０００１】
本発明は、芯線と該芯線を覆う被覆部とを備え、互いに平行となるように一方向に沿って並べられた複数の電線と、前記複数の電線の外周を覆う保護被覆部と、を備えた平型ケーブル、及び、ワイヤハーネスに関する。
【背景技術】
【０００２】
近年、世界的な温暖化による環境問題、石油枯渇化に対するエネルギー問題、加えて昨今の経済危機から電気自動車のニーズが急激に高まっており、各カーメーカーも市場を見据えて数年後の市販化を加速させている。上記電気自動車はバッテリから得た電力を動力源とし電動モータにより走行する車両である。この電気自動車に搭載されたバッテリを充電するために充電スタンドが普及しつつある。この充電スタンドには充電ケーブルが取り付けられていて、この充電ケーブルを車両に接続することにより該充電ケーブルを介してバッテリを充電する。
【０００３】
上記充電ケーブルとしては、例えば、図１０に示されたものが知られている。同図に示すように、従来の充電ケーブル１０１は、芯線１２１と該芯線１２１を覆う被覆部１２２とを備えた４本の電線１０２と、前記４本の電線１０２が撚り合わされた状態でこれらを覆う保護被覆１０３と、を備えている。この充電ケーブル１０１は断面形状が円形に形成されている。この充電ケーブル１０１の断面形状が円形に形成されているので、該充電ケーブル１０１はその断面形状における径方向の寸法が等しくなり、よって、充電ケーブル１０１は全方向に均等な柔軟性を有していた（例えば、特許文献１参照）。
【０００４】
しかしながら、特許文献１に記載された従来の充電ケーブル１０１は、その断面形状における全方向に均等な柔軟性を有していたが、充電ケーブル１０１は４本の電線１０２が撚り合わされて構成されているので、充電ケーブル１０１が屈曲される際には電線１０２同士が摩擦されることとなり該充電ケーブル１０１が屈曲されにくいという問題があった。即ち、充電ケーブル１０１が曲げられにくいという問題があった。
【０００５】
そこで、上記問題点を解決するために、一方向に沿って平行に並べられた２本の電線１０２と、前記２本の電線１０２の外周を覆う保護被覆部２０３と、を備えた充電ケーブル２０１が提案されている。（例えば、特許文献２参照）。
【０００６】
特許文献２に記載された、図１１に示された充電ケーブル２０１は断面形状が楕円形に形成されている。この充電ケーブル２０１は各電線１０２が直線状に設けられており、前述した充電ケーブル１０１のように４本の電線１０２が撚り合わされて構成されていないので、充電ケーブル２０１が屈曲される際においても電線１０２同士が摩擦されることがなくなる。また、この充電ケーブル２０１はその断面形状が楕円形に形成されているので、充電ケーブル２０１が屈曲される方向をその断面形状における短径方向（矢印Ｙ方向）に限定することで、充電ケーブル２０１の柔軟性の向上を図っていた。
【先行技術文献】
【特許文献】
【０００７】
【特許文献１】特開平８−２３５９３７号公報
【特許文献２】特開平７−２２６１１２号公報
【発明の概要】
【発明が解決しようとする課題】
【０００８】
しかしながら、上述した従来の充電ケーブル２０１には以下に示す問題点があった。即ち、図１２（ａ）に示すように、従来の充電ケーブル２０１は電線１０２が並ぶ方向（矢印Ｙ方向）に沿って加重を受けると、図１２（ｂ）に示すように、各電線１０２が保護被覆部２０３の内側で移動されて、それにより２本の電線１０２の配列が乱されることで充電ケーブル２０１が変形してしまうという問題があった。
【０００９】
本発明は、上記課題に係る問題を解決することを目的としている。即ち、本発明は、他の平型ケーブルに重ねられた部分の複数の電線の配列が乱されることがなくなることで変形するのを防止できるとともに、これらが重ねられた際に安定した状態を維持することができる平型ケーブル、及び、ワイヤハーネスを提供することを目的とする。
【課題を解決するための手段】
【００１０】
請求項１に記載の本発明は、芯線と該芯線を覆う被覆部とを備え、互いに平行となるように一方向に沿って並べられた複数の電線と、前記複数の電線の外周を一括りに覆う保護被覆部と、を備え、少なくとも一部が他の平型ケーブルの前記一方向と前記電線の長手方向との双方向に対して直交する方向に重ねられる平型ケーブルにおいて、前記保護被覆部のうち前記他の平型ケーブルと重ねられる部分に、表面が平坦に形成された重なり部が設けられていることを特徴とする平型ケーブルである。
【００１１】
請求項２に記載の本発明は、請求項１に記載の本発明において、前記重なり部の表面から凹に形成され、前記電線の長手方向に沿って伸びたノッチが設けられていることを特徴とする。
【００１２】
請求項３に記載の本発明は、請求項１または請求項２に記載の本発明において、前記保護被覆部は、第１保護部と、前記第１保護部の内側に充填される第２保護部と、を備えた２重構造に構成されており、前記第２保護部は前記第１保護部よりも硬度が低いことを特徴とする。
【００１３】
請求項４に記載の本発明は、請求項１乃至請求項３のうちいずれか一項に記載された平型ケーブルと、前記平型ケーブルの端部に取り付けられるコネクタと、を備えたことを特徴とするワイヤハーネスである。
【発明の効果】
【００１４】
請求項１、請求項４記載の本発明によれば、芯線と該芯線を覆う被覆部とを備え、互いに平行となるように一方向に沿って並べられた複数の電線と、前記複数の電線の外周を一括りに覆う保護被覆部と、を備え、少なくとも一部が他の平型ケーブルの前記一方向と前記電線の長手方向との双方向に対して直交する方向に重ねられる平型ケーブルにおいて、前記保護被覆部のうち前記他の平型ケーブルと重ねられる部分に、表面が平坦に形成された重なり部が設けられており、これら平坦な面同士が重ねられることで安定した状態を維持することができるとともに、平型ケーブルと他の平型ケーブルとが重ねられると、複数の電線が並ぶ方向に加重を受けた際においても平型ケーブルと他の平型ケーブルとを重ねた部分が曲げられにくくなり、そのために複数の電線の配列が乱されることがなくなることで変形するのを防止できる平型ケーブル、及び、ワイヤハーネスを提供することができる。
【００１５】
請求項２に記載の本発明によれば、前記平坦部の表面から凹に形成され、前記電線の長手方向に沿って伸びたノッチが設けられているので、平型ケーブルが前記双方向に対して直交する方向に沿って重ねられた状態で各電線が通電された際おいても、空気の流路が確保されこの流路よって放熱されることとなり、各平型ケーブルの温度の上昇量が抑制されることで各電線の許容電流値の低減量を少なくすることができる。
【００１６】
請求項３記載の本発明によれば、前記保護被覆部は、第１保護部と、前記第１保護部の内側に充填される第２保護部と、を備えた２重構造に構成されており、前記第２保護部は前記第１保護部よりも硬度が低いので、前記双方向に対して直交する方向への柔軟性を低減することなく確保することができる。
【図面の簡単な説明】
【００１７】
【図１】本発明の第１実施形態にかかるワイヤハーネスを構成するワイヤハーネス集合体を示す側面図である。
【図２】図１に示されたワイヤハーネスを構成する平型ケーブルの断面を示す図である。
【図３】図１中のＩ−Ｉ線に沿う断面図である。
【図４】本発明の第２実施形態にかかる平型ケーブルの断面を示す図である。
【図５】図４に示された平型ケーブルが重ねられた状態を示す図である。
【図６】本発明の第３実施形態にかかる平型ケーブルの断面を示す図である。
【図７】図６に示された平型ケーブルが重ねられた状態を示す図である。
【図８】図６に示された平型ケーブルの変形例を示す断面図である。
【図９】図８に示された平型ケーブルが重ねられた状態を示す図である。
【図１０】従来の充電ケーブルの一例を示す断面図である。
【図１１】従来の充電ケーブルの他の一例を示す断面図である。
【図１２】（ａ）は、図１１に示された充電ケーブルがその長径方向に沿って加重された様子を示す断面図であり、（ｂ）は、（ａ）に示された平型ケーブルが変形した状態を模式的に示す図である。
【発明を実施するための形態】
【００１８】
（第１実施形態）
本発明の第１実施形態にかかるワイヤハーネス、及び、平型ケーブルを図１乃至図３を参照して説明する。
【００１９】
図１に示すように、ワイヤハーネス集合体１０は、平型ケーブル１と、前記平型ケーブル１の長手方向に沿う一端１ａに取り付けられるコネクタ６と、を備えた４本のワイヤハーネス８から構成されている。このワイヤハーネス集合体１０は、コネクタ６と反対側の他端１ｂが交流電源から供給された電力を基に充電に適した電圧及び電流を生成する充電スタンド７に接続される。このワイヤハーネス集合体１０が接続される充電スタンド７は、４つの電気自動車に搭載された各バッテリを同時に充電するためのものである。即ち、ワイヤハーネス集合体１０は複数の電気自動車に搭載された各バッテリを同時に充電するために用いられる。
【００２０】
上記平型ケーブル１は、図２に示すように、互いに平行となるように一方向に沿って並べられた４本の電線２Ａ、２Ｂ、２Ｃ、２Ｄと、これら４本の電線２Ａ、２Ｂ、２Ｃ、２Ｄの外周を一括りに覆う保護被覆部３と、を備えている。
【００２１】
また、図２などに示す矢印Ｘ方向は、特許請求項の範囲に示された「一方向」と平行な方向であり、４本の電線２Ａ、２Ｂ、２Ｃ、２Ｄが並ぶ方向、及び平型ケーブル１の断面形状における長径方向を示している。また、図２などに示す矢印Ｙ方向は、長径方向（矢印Ｘ方向）と電線２Ａ、２Ｂ、２Ｃ、２Ｄの長手方向との双方向に対して直交する方向、及び平型ケーブル１の断面形状における短径方向（矢印Ｙ方向）を示している。
【００２２】
この平型ケーブル１は、図１、図３に示すように、その他端１ｂが該平型ケーブル１の短径方向（矢印Ｙ方向）に沿って重ねられた状態で固定されている。
【００２３】
上記電線２Ａ、２Ｂ、２Ｃ、２Ｄは複数の素線が撚り合わされて構成された芯線２１と、前記芯線２１を被覆する被覆部２２と、から構成された、断面丸型の被覆電線である。上記芯線２１は銅または銅合金から構成されている。また、芯線２１は一本の素線から構成されていてもよい。上記被覆部２２はポリ塩化ビニル（Polyvinylchloride：ＰＶＣ）、ポリオレフィン（ＰＥ、ＰＰ等）などの絶縁性の合成樹脂から構成されている。
【００２４】
また、４本の電線２Ａ、２Ｂ、２Ｃ、２Ｄのうち２本（一対）の電線２Ａ、２Ｄは、コネクタ６を介して電気自動車に搭載されたバッテリに接続される。この一対の電線２Ａ、２Ｄはバッテリを充電するための電流が流される。また一対の電線２Ａ、２Ｄは平型ケーブル１の長径方向（矢印Ｘ方向）の両端に設けられている。電線２Ｂは制御信号が伝送される。電線２Ｃはアース線として使用される。また一対の電線２Ａ、２Ｄは２本の電線２Ｂ、２Ｃよりも大きな電流が流される。
【００２５】
上記保護被覆部３はポリ塩化ビニル（Polyvinylchloride：ＰＶＣ）、ポリオレフィン（ＰＥ、ＰＰ等）などの絶縁性の合成樹脂から構成されている。この保護被覆部３は、互いに平行となるように一方向（矢印Ｘ方向）に沿って並べられた４本の電線２Ａ、２Ｂ、２Ｃ、２Ｄの外周に押出し成形によって形成される。そして、保護被覆部３は４本の電線２Ａ、２Ｂ、２Ｃ、２Ｄを一括りで覆う。この保護被覆部３は４本の電線２Ａ、２Ｂ、２Ｃ、２Ｄを覆っているので、平型ケーブル１の外表面は保護被覆部３の外表面をなしている。また、保護被覆部３には、他の平型ケーブル１に重ねられる部分には、表面が平坦に形成された重なり部３１が設けられている。上記重なり部３１は、保護被覆部３の前記双方向に対して直交する方向（矢印Ｙ方向）に互いに相対する位置に一対設けられている。
【００２６】
上記コネクタ６は導電性の金属から構成されている。このコネクタ６は電気自動車に搭載されたバッテリに接続される。
【００２７】
さらに、ワイヤハーネス集合体１０における各平型ケーブル１の他端１ｂは重ねられた状態で固定されており、各平型ケーブル１の他端１ｂが重ねられた状態で固定された部分には、充電スタンド７に取り付けるための１つのプラグ部（図示しない）が取り付けられている。上記プラグ部が充電スタンド７に設けられたプラグ受け部に差し込まれると、ワイヤハーネス集合体１０を構成する全ての電線２Ａ、２Ｂ、２Ｃ、２Ｄが充電スタンド７に電気的に接続される。即ち、プラグ部をプラグ受け部に差し込むことで、ワイヤハーネス集合体１０を構成する全ての電線２Ａ、２Ｂ、２Ｃ、２Ｄが一括で充電スタンド７に電気的に接続される。
【００２８】
次に、上述したワイヤハーネス集合体１０の製造方法について説明する。まず、予め４本の電線２Ａ、２Ｂ、２Ｃ、２Ｄを製造しておく。そして、これら４本の電線２Ａ、２Ｂ、２Ｃ、２Ｄのうち、バッテリを充電するための電流が流される一対の電線２Ａ、２Ｄを両端に位置付けて、前記一対の電線２Ａ、２Ｄ間に制御信号が伝送される電線２Ｂ及びアース線として使用される電線２Ｃを位置付けるように並べて、これら４本の電線２Ａ、２Ｂ、２Ｃ、２Ｄを互いに平行となるように並べた状態で、これら４本の電線２Ａ、２Ｂ、２Ｃ、２Ｄの外周にポリ塩化ビニル（Polyvinylchloride：ＰＶＣ）、ポリオレフィン（ＰＥ、ＰＰ等）などの合成樹脂を押し出し成形することで保護被覆部３を成形する。こうして平型ケーブル１を形成する。
【００２９】
次に、平型ケーブル１の一端１ａにおける保護被覆部３及び、４本の電線２Ａ、２Ｂ、２Ｃ、２Ｄの各被覆部２２を皮剥ぎする。そして４本の電線２Ａ、２Ｂ、２Ｃ、２Ｄの各被覆部２２から露出された各芯線２１とコネクタ６とを接続する。こうしてワイヤハーネス８を形成する。
【００３０】
次に、４つの平型ケーブル１を短径方向（矢印Ｙ方向）に沿って重ねた状態で、互いに重ねられた４つの平型ケーブル１の長手方向の他端１ｂの外周に結束バンドを巻き付けて、これら４つの平型ケーブル１の他端１ｂを結束する。こうして、４つの平型ケーブル１を互いに重ねた状態で固定する。この際、互いに重ねられた平型ケーブル１の長手方向の一端１ａ側は固定されていないので該一端１ａ側は互いに分かれている。そして、ワイヤハーネス集合体１０における平型ケーブル１の他端１ｂにプラグ部を取り付ける。こうしてワイヤハーネス集合体１０を形成する。
【００３１】
上述した実施形態によれば、保護被覆部３には、表面が平坦に形成された重なり部３１が設けられているので、これら平坦な面同士が重ねられることで安定した状態を維持することができるとともに、平型ケーブル１と他の平型ケーブル１とが重ねられると、電線が２Ａ、２Ｂ、２Ｃ、２Ｄ並ぶ方向（矢印Ｘ方向）に加重を受けた際においても、平型ケーブル１と他の平型ケーブル１とが重ねられた部分が曲げられにくくなり、そのために４本の電線２Ａ、２Ｂ、２Ｃ、２Ｄの配列が乱されることがなくなることで変形するのを防止できる平型ケーブル１、及び、ワイヤハーネス８を提供することができる。
【００３２】
また、前記複数の電線２Ａ、２Ｂ、２Ｃ、２Ｄのうち電線２Ａ、２Ｂ、２Ｃ、２Ｄが並ぶ方向（矢印Ｘ方向）の両端に設けられた一対の電線２Ａ、２Ｄはバッテリに接続される電線であり、前記一対の電線２Ａ、２Ｄ間には制御信号が伝送される電線２Ｂ及びアース線として使用される電線２Ｃが設けられているので、一対の電線２Ａ、２Ｄ同士が近傍に位置付けられるよりも一対の電線２Ａ、２Ｄ間の距離をかせぐこととなり、よって、より一層、各平型ケーブル１の温度の上昇量が抑制されることで各電線２Ａ、２Ｂ、２Ｃ、２Ｄの許容電流値の低減量を少なくすることができる。
【００３３】
（第２実施形態）
続いて、本発明の第２実施形態にかかる平型ケーブルを図４または図５を参照して説明する。なお、図４または図５において、前述した実施形態と同一部分には、同一符号を付して説明を省略する。
【００３４】
上記平型ケーブル１は、図４に示すように、互いに平行となるように一方向に沿って並べられた４本の電線２Ａ、２Ｂ、２Ｃ、２Ｄと、これら４本の電線２Ａ、２Ｂ、２Ｃ、２Ｄの外周を覆う保護被覆部３と、ノッチ４と、を備えている。
【００３５】
上記ノッチ４は、保護被覆部３に設けられた各重なり部３１それぞれに一対設けられている。一対のノッチ４は平型ケーブル１の短径方向（矢印Ｙ方向）に沿って互いに相対する位置に設けられている。各ノッチ４は、重なり部３１の表面から凹に形成されている。各ノッチ４は平型ケーブル１の長手方向に沿う全長に亘って設けられている。また、図５に示すように、各ノッチ４は保護被覆部３の長径方向（矢印Ｘ方向）の中央部に設けられており、重なり部３１が他の平型ケーブル１に重ねられると、互いに重ねられた各重なり部３１に設けられたノッチ４の縁同士が重ねられるように形成されている。
【００３６】
上述した実施形態によれば、前記重なり部３１の表面から凹に形成され、前記電線２Ａ、２Ｂ、２Ｃ、２Ｄの長手方向に沿って伸びたノッチ４が設けられているので、平型ケーブル１が前記双方向に対して直交する方向（矢印Ｙ方向）に沿って重ねられた状態で各電線２Ａ、２Ｂ、２Ｃ、２Ｄが通電された際おいても、空気の流路が確保されこの流路よって放熱されることとなり、各平型ケーブル１の温度の上昇量が抑制されることで各電線２Ａ、２Ｂ、２Ｃ、２Ｄの許容電流値の低減量を少なくすることができる。
【００３７】
また、重なり部３１が他の平型ケーブル１に重ねられると、各重なり部３１に設けられたノッチ４の縁同士が重ねられるので、２つのノッチ４が重ね合わされてノッチ４の断面積を大きくすることで空気の流路が拡大されることとなり、よって、より一層、各平型ケーブル１の温度の上昇量が抑制されることで各電線２Ａ、２Ｂ、２Ｃ，２Ｄの許容電流値の低減量を少なくすることができる。
【００３８】
（第３実施形態）
続いて、本発明の第３実施形態にかかる平型ケーブルを図６または図７を参照して説明する。なお、図６または図７において、前述した実施形態と同一部分には、同一符号を付して説明を省略する。
【００３９】
上記平型ケーブル１´は、図６、図７に示すように、互いに平行となるように一方向に沿って並べられた４本の電線２Ａ、２Ｂ、２Ｃ、２Ｄと、これら４本の電線２Ａ、２Ｂ、２Ｃ、２Ｄの外周を覆う保護被覆部３と、ノッチ４´と、を備えている。上記保護被覆部３は、第１保護部３Ａと、前記第１保護部３Ａの内側に充填される第２保護部３Ｂと、を備えた２重構造に構成されている。
【００４０】
上記第１保護部３Ａは、ポリ塩化ビニル（Polyvinylchloride：ＰＶＣ）、ポリオレフィン（ＰＥ、ＰＰ等）などの絶縁性の合成樹脂から構成されている。この第１保護部３Ａは、後述する第２保護部３Ｂの外周に押出し成形によって形成される。この第１保護部３Ａは第２保護部３Ｂを覆っているので、保護被覆部３の外表面は第１保護部３Ａの外表面をなしている。即ち、ノッチ４´は第１保護部３Ａの外表面に形成されている。
【００４１】
上記第２保護部３Ｂは、ポリ塩化ビニル（Polyvinylchloride：ＰＶＣ）、ポリオレフィン（ＰＥ、ＰＰ等）などの、第１保護部３Ａと同様の絶縁性の合成樹脂から構成されている。この第２保護部３Ｂは第１保護部３Ａよりも硬度が低くなるように構成されている。また、第２保護部３Ｂは、互いに平行となるように並べられた４本の電線２Ａ、２Ｂ、２Ｃ、２Ｄの外周に押出し成形によって形成される。また、第２保護部３Ｂは、４本の電線２Ａ、２Ｂ、２Ｃ、２Ｄのうち、隣り合う一対の電線２Ｂ、２Ｃが互いに離間した位置に位置付けられるように、一対の電線２Ｂ、２Ｃ間にも設けられている。
【００４２】
上記一対のノッチ４´は、一対の電線２Ｂ、２Ｃ間における、長径方向（矢印Ｙ方向）の互いに相対する位置に設けられている。ノッチ４´が一対の電線２Ｂ、２Ｃ間に設けられているので、ノッチ４´と２本の電線２Ｂ、２Ｃとの一定寸法を確保しても、ノッチ４´はその断面積を、第２実施形態に示されたノッチ４よりも大きくできる。
【００４３】
次に、上述した平型ケーブル１´の製造方法について説明する。まず、予め４本の電線２Ａ、２Ｂ、２Ｃ、２Ｄを製造しておく。そして、これら４本の電線２Ａ、２Ｂ、２Ｃ、２Ｄのうち、バッテリを充電するための電力が流される一対の電線２Ａ、２Ｄを両端に位置付けて、前記一対の電線２Ａ、２Ｄ間に制御信号が伝送される電線２Ｂ、アース線として使用される電線２Ｃを位置付けるように並べて、これら２本の電線２Ｃ、２Ｄを互いに離間した位置に位置付けて、これら４本の電線２Ａ、２Ｂ、２Ｃ、２Ｄを互いに平行となるように一方向（矢印Ｘ方向）に沿って並べた状態で、これら４本の電線２Ａ、２Ｂ、２Ｃ、２Ｄの外周にポリ塩化ビニル（Polyvinylchloride：ＰＶＣ）、ポリオレフィン（ＰＥ、ＰＰ等）などの合成樹脂を押し出し成形することで第２保護部３Ｂを成形する。そして第２保護部３Ｂの外周にポリ塩化ビニル（Polyvinylchloride：ＰＶＣ）、ポリオレフィン（ＰＥ、ＰＰ等）などの合成樹脂を押し出し成形することで第１保護部３Ａを成形すると同時にノッチ４´を形成する。そして保護被覆部３を成形する。こうして平型ケーブル１´を形成する。
【００４４】
上述した実施形態によれば、前記保護被覆部３は、前記複数の電線２Ａ、２Ｂ、２Ｃ、２Ｄの外周を一括りに覆う第１保護部３Ａと、前記第１保護部３Ａの内側に充填される第２保護部３Ｂと、を備えた２重構造に構成されており、前記第２保護部３Ｂは前記第１保護部３Ａよりも硬度が低いので、前記双方向に対して直交する方向（矢印Ｙ方向）への柔軟性を低減することなく確保することができる。
【００４５】
また、４本の電線２Ａ、２Ｂ、２Ｃ、２Ｄのうち隣り合う一対の電線２Ｂ、２Ｃが互いに離間した位置に設けられており、前記一対の電線２Ｂ、２Ｃ間にも第２保護部３Ｂが充填されているので、平型ケーブル１´は電線２Ａ、２Ｂ、２Ｃ、２Ｄが並ぶ方向（矢印Ｘ方向）沿って加重を受けた際においても、一対の電線２Ｂ、２Ｃのうち一方の電線２Ｂが第２保護部３Ｂを乗り越えて他方の電線２Ｃ側に移動されることがなくなり、よって、電線２Ａ、２Ｂ、２Ｃ、２Ｄの配列が乱されることがなくなることで平型ケーブル１´が変形するのを防止できる。
【００４６】
また、ノッチ４´は一対の電線２Ｂ、２Ｃ間に設けられているので、一対の電線２Ｂ、２Ｃが互いに近接した位置に位置付けられた場合と比べるとノッチ４´は各電線２Ｂ、２Ｃから離れた位置付けられることとなり、ノッチ４´と各電線２Ｂ、２Ｃとの距離をかせぐことができる。よって、ノッチ４´と各電線２Ｂ、２Ｃとの一定寸法を確保してもノッチ４´の断面積を大きくすることができる。よって、ノッチ４´の断面積を大きくすることで空気の流路が拡大されることとなり、よって、より一層、各平型ケーブル１´の温度の上昇量が抑制されることで各電線２Ａ、２Ｂ、２Ｃ、２Ｄの許容電流値の低減量を少なくすることができる。
【００４７】
なお、上述した実施形態では、第１保護部３Ａと第２保護部３Ｂとは同じ材料から構成されているが、本発明はこれに限ったものではなく、第２保護部３Ｂが第１保護部３Ａよりも硬度が低ければ、第１保護部３Ａと第２保護部３Ｂとが異なる材料から構成されていてもよい。
【００４８】
また、上述した実施形態では、第２保護部３Ｂは第１保護部３Ａよりも硬度が低いが、本発明はこれに限ったものではなく、図８、図９に示すように、第２保護部３Ｂは第１保護部３Ａと等しい硬度であってもよく、第２保護部３Ｂは第１保護部３Ａよりも硬度が高くてもよい。なお、図８、図９において、前述した実施形態と同一部分には、同一符号を付して説明を省略する。
【００４９】
また、上述した実施形態では、ノッチ４、４´は一対設けられているが、本発明はこれに限ったものではなく、ノッチ４、４´は、重なり部３１に設けられていれば２つ以上設けられていてもよく、ノッチ４、４´は１つでもよい。
【００５０】
また、上述した実施形態では、平型ケーブル１、１´は４本の電線２Ａ、２Ｂ、２Ｃ、２Ｄから構成されているが、本発明はこれに限ったものではなく、平型ケーブル１、１´は２本以上の電線２Ａ、２Ｂ、２Ｃ、２Ｄから構成されていればよい。また、ワイヤハーネス集合体１０は４本のワイヤハーネス８から構成されているが、本発明はこれに限ったものではなく、ワイヤハーネス集合体１０は２本以上のワイヤハーネス８から構成されていればよい。
【００５１】
また、上述した実施形態では、４本の電線２Ａ、２Ｂ、２Ｃ、２Ｄのうち一対の電線２Ｂ、Ｃが互いに離間した位置に設けられているが、本発明はこれに限ったものではなく、互いに隣り合う一対の電線２Ａ、２Ｂ、及び、電線２Ｃ、２Ｄが離間した位置に設けられていても良く、互いに隣り合う一対の電線２Ａ、２Ｂのみが離間した位置に設けられていても良く、互いに隣り合う一対の電線２Ｃ、２Ｄのみが離間した位置に設けられていても良い。
【００５２】
また、前述した実施形態は、本発明の代表的な形態を示したに過ぎず、本発明は、実施形態に限定されるものではない。即ち、本発明の骨子を逸脱しない範囲で種々変形して実施することができる。
【符号の説明】
【００５３】
１、１´  平型ケーブル
２Ａ  電線
２Ｂ  電線
２Ｃ  電線
２Ｄ  電線
３  保護被覆部
３Ａ  第１保護部
３Ｂ  第２保護部
４、４´  ノッチ
６  コネクタ
８  ワイヤハーネス
【図１】
2012198996.tif 000003
【図２】
2012198996.tif 000004
【図３】
2012198996.tif 000005
【図４】
2012198996.tif 000006
【図５】
2012198996.tif 000007
【図６】
2012198996.tif 000008
【図７】
2012198996.tif 000009
【図８】
2012198996.tif 000010
【図９】
2012198996.tif 000011
【図１０】
2012198996.tif 000012
【図１１】
2012198996.tif 000013
【図１２】
2012198996.tif 000014